【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
無線端末を動作させる方法であって、
基地局と前記無線端末との間で情報を交信するために用いることができる複数の異なった無線通信チャネルに対する１セットの通信品質情報を維持することであって、前記基地局及び前記無線端末のうちの少なくとも一方が複数のアンテナを含み、前記複数の異なった無線通信チャネルが少なくとも第１の通信チャネル及び第２の通信チャネルを含み、前記第１及び第２の通信チャネルが、前記第１及び第２の通信チャネルをそれぞれ確立するために用いられる第１及び第２の通信技術の関数である異なった品質特性を有し、前記第１及び第２の通信技術が異なっている、維持することと、
前記無線端末の動きの速度を決定することと、
前記無線端末の決定された動きの速度の関数として、前記基地局との通信における使用のための通信チャネルを選択することと
を有する方法。
【請求項２】
前記第１及び前記第２の通信チャネルに対応する通信チャネル品質情報を前記基地局に送信することを更に有する、請求項１に記載の方法。
【請求項３】
前記第１及び第２の通信技術は相容れない異なった通信技術である、請求項１に記載の方法。
【請求項４】
前記異なった通信技術はＣＤＭＡ、ＯＦＤＭ及び狭帯域信号搬送波技術を含む、請求項３に記載の方法。
【請求項５】
前記異なった通信技術の各々は特定の通信技術を準拠する複数の要件を規定する１つの異なった技術規格に対応し、前記異なった通信技術は、これら異なった通信技術のうちの１つに対応していて他の異なった通信技術で規定された要件に反する通信要件を規定する技術規格によって示されるように相容れないものである、請求項３に記載の方法。
【請求項６】
前記第１および第２の通信技術のうちの少なくとも１つが直交周波数分割多重化通信技術である、請求項１に記載の方法。
【請求項７】
通信チャネルを選択するステップは、
前記決定された動きの速度が第１速度の無線端末の動きを示す場合に、第１量の周波数ダイバーシティを前記無線端末に提供する前記第１の通信技術を選択することと、
前記決定された動きの速度が、前記第１速度の無線端末の動きよりも遅い第２速度の無線端末の動きを示す場合に、前記無線端末から受信されたフィードバック情報の関数としてアンテナビームフォーミングを使用する前記第２の通信技術に対応する通信チャネルを選択することと
を含む、請求項１に記載の方法。
【請求項８】
動きの速度を決定することは、前記基地局と前記無線端末との間で送信された信号のドップラー偏移を測定することで、前記無線端末の動きの速度を示す測定を行うことを含む、請求項１に記載の方法。
【請求項９】
前記無線端末の動きの速度を決定するステップは、
クロックタイミング変化をさせることを前記無線端末に指示するために用いられるタイミング制御信号の変化率、
前記無線端末から周期的に送信された信号の電力が時間と共に変化する割合、
通信チャネルの測定された品質の変化率、
チャネルフェージング測定値の変化率
のうちの少なくとも１つを測定することを含む、請求項１に記載の方法。
【請求項１０】
通信チャネルを選択するステップは、
前記決定された動きの速度が第１速度の無線端末の動きを示す場合に、前記無線端末から前記基地局へ送信する第１量のチャネル品質フィードバック信号を使用する第１の通信技術を選択することと、
前記決定された動きの速度が前記第１速度の無線端末の動きよりも低い第２速度の無線端末の動きを示す場合に、前記第１量のチャネル品質フィードバックよりも大きい第２量のチャネル品質フィードバックを使用する第２の通信技術に対応する通信チャネルを選択することと
を含む、請求項１に記載の方法。
【請求項１１】
前記第１の通信技術は２つの固定アンテナを用い、アラモウティ送信方法を用いた技術であり、前記第１の通信技術は、前記基地局からの信号を送信するために用いられるアンテナパターンを制御するために、前記基地局へのゼロチャネル品質フィードバックシグナリングを用いる、請求項１０に記載の方法。
【請求項１２】
前記第２の通信技術は、前記無線端末から受信されたチャネル品質フィードバックの関数としてビームを形成すること含むビームフォーミング送信方法を用いる、請求項１０に記載の方法。
【請求項１３】
前記基地局及び前記無線端末の双方は複数のアンテナを含み、前記第２の通信技術は多入力多出力技術を用いる、請求項１０に記載の方法。
【請求項１４】
通信チャネルを選択するステップは、
前記決定された動きの速度が第１速度の無線端末の動きを示す場合に、第２の通信チャネルよりも高い周波数ダイバーシティ及び時間ダイバーシティのうちの少なくとも１つを提供する前記第１の通信技術を選択することと、
前記決定された動きの速度が前記第１速度の無線端末の動きよりも低い第２速度の無線端末の動きを示す場合に、前記第１の通信技術に対応する第１の通信チャネルから利用できるものよりも高い空間ダイバーシティを提供する前記第２の通信技術に対応する第２の通信チャネルを選択することと
を含む、請求項１に記載の方法。
【請求項１５】
通信チャネルを選択するステップは、
チャネル状態の変化が急激な速度で生じた場合に、前記複数のチャネル内で非選択の通信チャネルから利用できるものよりも高い周波数または時間ダイバーシティを提供する通信チャネルを、前記複数の通信チャネル内で選択することと、
通信チャネル状態の変化が前記急激な速度で生じた場合に選択された前記通信チャネルよりも高い空間ダイバーシティを提供する別の通信チャネルを、チャネル状態の変化が前記急激な速度よりも遅い速度で生じた場合に前記複数の通信チャネル内で選択すること
を含む、請求項１に記載の方法。
【請求項１６】
前記複数の通信チャネルは固定される、請求項１に記載の方法。
【請求項１７】
固定された前記複数の通信チャネルのうちの少なくともいくつかは、異なった時点で存在する異なった組み合わせの通信チャネルで周期性のものであり、いずれかの時点で存在するこの組み合わせの通信チャネルはこれら通信チャネルの周期性のために予測可能である、請求項１６に記載の方法。
【請求項１８】
方法を実施するために無線端末を制御するように構成されたプロセッサを備える無線端末であって、前記方法は、
基地局と前記無線端末との間で情報を交信するために用いることができる複数の異なった無線通信チャネルに対する１セットの通信品質情報を維持することであって、前記基地局及び前記無線端末のうちの少なくとも一方が複数のアンテナを含み、前記複数の異なった無線通信チャネルが少なくとも第１の通信チャネル及び第２の通信チャネルを含み、前記第１及び第２の通信チャネルが、前記第１及び第２の通信チャネルをそれぞれ確立するために用いられる第１及び第２の通信技術の関数である異なった品質特性を有し、前記第１及び第２の通信技術が異なっている、維持することと、
前記無線端末の動きの速度を決定することと、
前記無線端末の決定された動きの速度の関数として、前記基地局への通信における使用のための通信チャネルを選択することと
を有する無線端末。
【請求項１９】
前記方法が、
前記第１及び前記第２の通信チャネルに対応する通信チャネル品質情報を前記基地局に送信することを更に有する、請求項１８に記載の無線端末。
【請求項２０】
前記第１及び第２の通信技術は相容れない異なった通信技術である、請求項１８に記載の無線端末。
【請求項２１】
方法を実施するために無線端末を制御するための、機械実行可能命令を組み込むコンピュータ可読記憶媒体であって、前記方法は、
基地局と前記無線端末との間で情報を交信するために用いることができる複数の異なった無線通信チャネルに対する１セットの通信品質情報を維持することであって、前記基地局及び前記無線端末のうちの少なくとも一方が複数のアンテナを含み、前記複数の異なった無線通信チャネルが少なくとも第１の通信チャネル及び第２の通信チャネルを含み、前記第１及び第２の通信チャネルが、前記第１及び第２の通信チャネルをそれぞれ確立するために用いられる第１及び第２の通信技術の関数である異なった品質特性を有し、前記第１及び第２の通信技術が異なっている、維持することと、
前記無線端末の動きの速度を決定することと、
前記無線端末の決定された動きの速度の関数として、前記基地局への通信における使用のための通信チャネルを選択することと
を有する、コンピュータ可読記憶媒体。
【請求項２２】
前記方法は、
前記第１及び前記第２の通信チャネルに対応する通信チャネル品質情報を前記基地局に送信することを更に有する、請求項２１に記載のコンピュータ可読記憶媒体。
【請求項２３】
前記第１及び第２の通信技術は相容れない異なった通信技術である、請求項２１に記載のコンピュータ可読記憶媒体。
【請求項２４】
無線端末であって、
基地局と前記無線端末との間で情報を交信するために用いることができる複数の異なった無線通信チャネルに対する通信品質情報セットを記憶するための手段であって、前記基地局及び前記無線端末のうちの少なくとも１つが複数のアンテナを含み、前記複数の異なった無線通信チャネルが、少なくとも第１の通信チャネル及び第２の通信チャネルを含み、前記第１及び第２の通信チャネルが、前記第１及び第２の通信チャネルをそれぞれ確立するために用いられる第１及び第２の通信技術の関数である異なった品質特性を有し、前記第１及び第２の通信技術が異なっている、維持する手段と、
前記無線端末の動きの速度を決定するための手段と、
前記無線端末の決定された動きの速度の関数として、前記基地局への通信における使用のための通信チャネルを選択するための手段と
を有する無線端末。
【請求項２５】
請求項２４に記載の無線端末において、前記第１及び前記第２の通信チャネルに対応する通信チャネル品質情報を前記基地局に送信するための手段を更に有する無線端末。
【請求項２６】
請求項２４に記載の無線端末において、前記第１及び第２の通信技術が、相容れない異なった通信技術である無線端末。
【請求項２７】
無線端末であって、
基地局と前記無線端末との間で情報を交信するために用いることができる複数の異なった無線通信チャネルに対する通信品質情報セットを含むメモリであって、前記基地局及び前記無線端末のうちの少なくとも１つが複数のアンテナを含み、前記複数の異なった無線通信チャネルが、少なくとも第１の通信チャネル及び第２の通信チャネルを含み、前記第１及び第２の通信チャネルが、前記第１及び第２の通信チャネルをそれぞれ確立するために用いられる第１及び第２の通信技術の関数である異なった品質特性を有し、前記第１及び第２の通信技術が異なっている、メモリと、
前記無線端末の動きの速度を決定するように構成されたプロセッサと、
前記無線端末の決定された動きの速度の関数として、前記基地局への通信における使用のための通信チャネルを選択するように構成された選択モジュールと
を有する無線端末。
【請求項２８】
前記第１及び前記第２の通信チャネルに対応する通信チャネル品質情報を前記基地局に送信するように構成された送信機を更に有する、請求項２７に記載の無線端末。
【請求項２９】
前記第１及び第２の通信技術は相容れない異なった通信技術である、請求項２７に記載の無線端末。